(57)【要約】【課題】前開き式やプルオーバー式のジャケットにおいて、脱ぐことなく、背中側のポケットの内部空間を迅速に利用できるジャケットを提供する。【解決手段】ブルゾン型のジャケット１において、胴回りの両側部にポケット２の開口部３を形成し、背中側に収納物を収納できるように、ポケット２の内部空間８を背中側を通して連通するように形成する。これにより、収納物、特に工事現場における図面や書類、或いは旅行先における地図、観光冊子などを、ジャケット１を脱ぐことなく背中側のポケット２の内部空間に迅速に収納させることができる。【選択図】図９
0003147770.tif 000002
【実用新案登録請求の範囲】
【請求項１】
ブルゾン型のジャケットであって、
胴回りの両側部にポケットの開口部が形成され、前記ポケットの内部空間が背中側を通して連通するように形成されていることを特徴とするジャケット。
【請求項２】
プルオーバーからなるジャケットであって、前記ポケットの内部空間が胴回り全周にわたって連通するように形成されていることを特徴とする請求項１に記載のジャケット。
【請求項３】
ジャケットの前側において開口し前記ポケットの内部空間に格納される収納袋を設け、この収納袋に折り畳んだジャケットを収納袋の裏側から収納可能に構成したことを特徴とする請求項２に記載のジャケット。
【請求項４】
前記収納袋内にウェストバッグが付設され、ジャケットを収納した状態の収納袋がウェストバッグの背面に位置する構成としたことを特徴とする請求項３に記載のジャケット。
【考案の詳細な説明】
【技術分野】
【０００１】
本考案は、腰丈程度のブルゾン型のジャケットに関する。
【背景技術】
【０００２】
ジャケットなどの上着において多数のポケットを形成した従来技術として、特許文献１に記載のものが挙げられる。特許文献１では、前身ごろに多数のポケットを分割して設けている。このようにポケットを分割して設けた場合、複数の収納物を所望のポケットに分けて収納できるというメリットがある反面、各ポケットは局部的に設けられるために、大きめの収納物は収納できないという問題がある。例えば、工事現場における図面や書類、或いは旅行先における地図、観光冊子などでは、小さく折り畳むことが困難であったり、折り目がついたら困るようなものがあり、これらを幾重にも折ることなく小さなポケットに収納することは難しい。
【０００３】
このような問題に対処したものとして、プルオーバーのジャケットにおいて胴回りの両側に設けたポケットの内部空間を前身ごろ側において連通させたものが知られている。これによれば、前身ごろに幅広のポケット空間が形成されることになり、Ａ４クラスの紙面を折り畳むことなく、或いは１折り程度で収納可能となり、ポケットの開口部の長さを大きくすれば、一眼レフカメラなど大きめの立体的な収納物も収納できるようになる。
【０００４】
また、ポケットを後身ごろ、つまり背中側に設けた従来技術が特許文献２に記載されている。
【特許文献１】特開２００６−３４８４５８号公報
【特許文献２】特開２００５−１４６４９８号公報
【考案の開示】
【考案が解決しようとする課題】
【０００５】
立体的な収納物を背中側のポケットに収納すると、収納物が背中に当たって不便な場合もあるが、紙類など平面的な収納物は背中にフィットすることから、特許文献２の技術によれば背中側におけるポケットの有効利用が図れる。しかしながら、特許文献２の技術は、背中側にのみポケット空間が形成され、ポケットの開口部も背中側に形成されている。この構造は、周りに人がいればその人に収納物の出し入れを頼むこともできるが、自分一人だけの場合で背中側のポケットを利用する際には、その都度上着を脱いでから利用しなければならないため、頻繁にポケットを利用したい場合には不向きな構造となる。特にリュックなどを背負っている場合にはその都度リュックも降ろさなければならないので、なおさらである。
【０００６】
本考案は以上のような課題を解決するために創作されたものであり、脱ぐことなく背中側のポケットを迅速に利用できるジャケットを提供することを目的としている。
【課題を解決するための手段】
【０００７】
前記課題を解決するため、本考案は、ブルゾン型のジャケットであって、胴回りの両側部にポケットの開口部が形成され、前記ポケットの内部空間が背中側を通して連通するように形成されていることを特徴とするジャケットとした。
【０００８】
本考案によれば、ポケットの内部空間が背中側を通して連通しているため、胴回りの側部の開口部から入れた紙面などの収納物を背中側の内部空間にも容易に収納させることができる。したがって、収納物、特に工事現場における図面や書類、或いは旅行先における地図、観光冊子などを、ジャケットを脱ぐことなく背中側のポケット空間に迅速に収納させることができる。
【０００９】
また、本考案は、プルオーバーからなるジャケットであって、前記ポケットの内部空間が胴回り全周にわたって連通するように形成されていることを特徴とするジャケットとした。
【００１０】
本考案によれば、ポケットの内部空間が胴回り全周にわたって連通しているため、胴回りの側部の開口部から入れた紙面などの収納物を前面側の内部空間に収納させることは勿論、背中側の内部空間にも容易に収納させることができる。したがって、収納物、特に工事現場における図面や書類、或いは旅行先における地図、観光冊子などを、ジャケットを脱ぐことなく背中側のポケット空間に迅速に収納させることができる。
【００１１】
また、本考案は、ジャケットの前側において開口し前記ポケットの内部空間に格納される収納袋を設け、この収納袋に折り畳んだジャケットを収納袋の裏側から収納可能に構成したことを特徴とするジャケットとした。
【００１２】
本考案によれば、ジャケットの着用が不要になったときジャケットをコンパクトに袋状に収納できるので、外出先などで嵩張らずに済む。
【００１３】
また、本考案は、前記収納袋内にウェストバッグが付設され、ジャケットを収納した状態の収納袋がウェストバッグの背面に位置する構成としたことを特徴とするジャケットとした。
【００１４】
本考案によれば、ジャケットの着用が不要になったとき、ジャケットをコンパクトに袋状に収納したうえでウェストバッグに付帯させることができるので、外出先などで嵩張らずに済む。
【考案の効果】
【００１５】
本考案によれば、ジャケットを脱ぐことなく、背中側のポケットの内部空間を迅速に利用できる。
【考案を実施するための最良の形態】
【００１６】
「第１実施例」
図１は本考案に係るジャケットの外観斜視図、図２は胴回りの平断面図であり、図１におけるＡ−Ａ断面図である。この第１実施例では、頭から被って着る上着、いわゆるプルオーバーのジャケットとした場合を示している。図１は、胸元のみスライドファスナＦによって開閉するブルゾン型のジャケット１として図示している。腰丈程度の上着であるブルゾン型のジャケットの例としては、ウィンドブレーカー、パーカー、レインコート、防寒ジャケットなどである。
【００１７】
図１において、ジャケット１の胴回りの両側部にはポケット２の開口部３が形成されている。開口部３はそのまま開口した構造でもよいし、適宜にスライドファスナ４やボタンなどを取り付けて閉じることが可能な構造としてもよい。また、開口部３をその全長にわたって隠蔽する前立て５が適宜に形成される。
【００１８】
ポケット２の内部空間８は背中側を通して連通するように形成されており、本実施例では、ポケット２の内部空間８を図２に示すように胴回り全周にわたって連通するように形成している。図２において、符号６、７はそれぞれポケット裏生地、ポケット表生地である。図１において、ポケット２の内部空間８の高さ寸法Ｈは適宜に設定されるが、例えばＡ４サイズの紙面を折り畳むことなく横にして収納できる程度とする。この場合、開口部３の長さについては、紙面を一旦筒状に丸めた状態で挿入し、ポケット２の内部空間８で平面状に復元させればよいので、高さ寸法Ｈよりも小さな寸法で構わない。
【００１９】
本考案によれば、ポケット２の内部空間８が背中側を通して連通しているため、胴回りの側部の開口部３から入れた紙面などの収納物Ｓを、背中側の内部空間８に容易に収納させることができる。
また、本実施例では、ポケット２の内部空間８が胴回り全周にわたって連通しているため、収納物Ｓを前面側の内部空間８に収納させることもできる。
したがって、工事現場における図面や書類、或いは旅行先における地図、観光冊子などを、ジャケット１を脱ぐことなく背中側のポケット空間に迅速に収納させることができる。勿論、紙面以外のものも背中側の内部空間８に収納することが可能である。
【００２０】
「第２実施例」
図３は第２実施例に係るジャケットの外観斜視図、図４は前身ごろの縦断面図、図５はジャケットを折り畳んで収納した状態の収納袋の外観斜視図である。この第２実施例もプルオーバーのジャケットが対象であり、ポケット２の内部空間８が胴回り全周にわたって連通するように形成されている。第２実施例が第１実施例と異なる点は、ジャケット１の表面において開口しポケット２の内部空間８に格納される収納袋１１を設け、この収納袋１１に折り畳んだジャケット１を収納袋１１の裏側から収納可能に構成したことにある。
【００２１】
前身ごろには水平状にスライドファスナ１２が取り付けられ、収納袋１１はこのスライドファスナ１２を介して開口する。通常時は、図４に示すように、収納袋１１がポケット２の内部空間８に垂れ下がるように格納されており、袋内の空間はポケットとして機能する。
【００２２】
そして、ジャケット１を収納するときには、図５に示すように収納袋１１を引っ張り出してからジャケット１を折り畳み、ジャケット１を収納袋１１の裏側から収納した後、スライドファスナ１２を閉める。
【００２３】
本考案によれば、ジャケット１の着用が不要になったときジャケット１をコンパクトに袋状に収納できるので、外出先などで嵩張らずに済む。本考案では、ウィンドブレーカーやレインコートなど折り畳みが容易な薄手のジャケット１が適している。
【００２４】
「第３実施例」
図６は第３実施例に係るジャケットの外観斜視図、図７は前身ごろの縦断面図、図８はジャケットを収納した収納袋とウェストバッグとを示す外観斜視図である。第３実施例が第２実施例と異なる点は、収納袋１１内にウェストバッグ１３を付設し、ジャケットを収納した状態の収納袋１１がウェストバッグ１３の背面に位置する構成としたことにある。
【００２５】
収納袋１１の内側にはウェストバッグ１３がその背面にて固着されている。その固着方法は縫合や接着剤など公知の態様でよい。通常時は、図７に示すように、収納袋１１がポケット２の内部空間８に垂れ下がるように格納され、ウェストバッグ１３はその収納袋１１内に位置している。
【００２６】
そして、ジャケット１を収納するときには、第２実施例で説明したように、収納袋１１を引っ張り出してからジャケット１を折り畳み、ジャケット１を収納袋１１の裏側から収納した後、スライドファスナ１２を閉める。収納袋１１は図８に示すようにウェストバッグ１３の背面側に位置するので、ウェストバッグ１３を腰に装着してバッグへの収納物の出し入れを行う際、収納袋１１が邪魔になることはない。
【００２７】
本考案によれば、ジャケット１の着用が不要になったとき、ジャケット１をコンパクトに袋状に収納したうえでウェストバッグ１３に付帯させることができるので、外出先などで嵩張らずに済む。
【００２８】
「第４実施例」
図９は第４実施例に係るジャケットの外観斜視図、図１０は胴回りの平断面図である。
この第４実施例は、プルオーバーではなく、前側が完全に開くタイプのジャケットに関する。スライドファスナＦは下端まで延設され、前身ごろが左右に開く。勿論、スライドファスナＦに替わってボタン式などであってもよく、場合によっては閉じ具がないタイプでもよい。
【００２９】
本実施例のジャケット１も、胴回りの両側部にポケット２の開口部３が形成され、ポケット２の内部空間８が背中側を通して連通するように形成されている。勿論、プルオーバーと違い、前側が分離するために前側においては連通していない。
【００３０】
このように、前側が完全に開くタイプのジャケット１においても、ポケット２の内部空間８が背中側を通して連通するため、胴回りの側部の開口部３から入れた紙面などの収納物Ｓを、背中側の内部空間８に容易に収納させることができる。
したがって、工事現場における図面や書類、或いは旅行先における地図、観光冊子などを、ジャケット１を脱ぐことなく背中側のポケット空間に迅速に収納させることができる。勿論、紙面以外のものも背中側の内部空間８に収納することが可能である。
【００３１】
以上、本考案について好適な形態について説明した。本考案は図面に記載された形状に限定されることなく、その趣旨を逸脱しない範囲で適宜に設計変更が可能である。
【図面の簡単な説明】
【００３２】
【図１】第１実施例に係るジャケットの外観斜視図である。
【図２】胴回りの平断面図である。
【図３】第２実施例に係るジャケットの外観斜視図である。
【図４】前身ごろの縦断面図である。
【図５】ジャケットを折り畳んで収納した状態の収納袋の外観斜視図である。
【図６】第３実施例に係るジャケットの外観斜視図である。
【図７】前身ごろの縦断面図である。
【図８】ジャケットを収納した収納袋とウェストバッグとを示す外観斜視図である。
【図９】第４実施例に係るジャケットの外観斜視図である。
【図１０】胴回りの平断面図である。
【符号の説明】
【００３３】
１    ジャケット
２    ポケット
３    開口部
８    内部空間
１１    収納袋
１３    ウェストバッグ
Ｓ    収納物
【図１】
0003147770.tif 000003
【図２】
0003147770.tif 000004
【図３】
0003147770.tif 000005
【図４】
0003147770.tif 000006
【図５】
0003147770.tif 000007
【図６】
0003147770.tif 000008
【図７】
0003147770.tif 000009
【図８】
0003147770.tif 000010
【図９】
0003147770.tif 000011
【図１０】
0003147770.tif 000012